(57)【要約】    【課題】      外出から帰宅までの間にテレコントロールされた回数を記録して残すと共に知らせることができ、不正なアクセスがあったか否かを判断することのできるようにすること。    【解決手段】  このテレコントロール装置１６は、着信信号検出装置２０２，ＰＢ信号検出装置２０３が電話回線からの着信に自動応答し、制御装置２０１がテレコントロール用の暗証番号をチェックし、所定回数以上エラーすれば回線を切断する。照明機器１１等に対する制御内容、制御結果、制御時刻、制御回数を機器別制御回数等記憶部２１８，テレコン制御回数記憶部２０６等に記憶する。これらの記憶内容は読み出されてＬＣＤ２２３に表示する。機器毎のテレコントロール回数を表示したり、ナンバーディスプレイサービスにより通知された発呼者の電話番号と被制御機器に対して行った制御内容とを対応づけて表示したりする。  【選択図】      図２
2005175818.tif 000002
【特許請求の範囲】
【請求項１】
電話回線からの着信に自動応答して制御信号を受信し被制御機器を制御するテレコントロール装置であって、電話回線からの着信に自動応答して被制御機器を制御した回数を記憶する回数記憶手段と、前記回数記憶手段に記憶された回数を表示する回数表示手段とを具備したテレコントロール装置。
【請求項２】
テレコントロール用の暗証番号の受信回数を記憶することを特徴とする請求項１記載のテレコントロール装置。
【請求項３】
留守番電話機の暗証番号及びテレコントロール用の暗証番号以外の暗証番号によるアクセス回数をエラー回数として記憶することを特徴とする請求項２記載のテレコントロール装置。
【請求項４】
電話回線からの着信に自動応答して制御信号を受信して被制御機器を制御する外出モードに設定する外出設定手段を備え、前記外出設定手段により外出モードに再びセットされることにより前記回数記憶手段の記憶内容をクリアすることを特徴とする請求項１から請求項３のいずれかに記載のテレコントロール装置。
【請求項５】
機器毎にテレコントロールされた回数を記憶する機器別記憶手段と、前記機器別記憶手段の記憶内容に基づいて機器毎のテレコントロール回数を表示する表示手段と、具備することを特徴とする請求項１から請求項４のいずれかに記載のテレコントロール装置。
【請求項６】
前記表示手段に、ナンバーディスプレイサービスにより通知された発呼者の電話番号と被制御機器に対して行った制御内容とを対応づけて表示することを特徴とする請求項１から請求項５のいずれかに記載のテレコントロール装置。
【請求項７】
前記表示手段に、被制御機器に対して行った制御内容とその制御時刻とを対応づけて表示することを特徴とする請求項１から請求項６のいずれかに記載のテレコントロール装置。
【請求項８】
前記表示手段に、被制御機器に対して行った制御内容とその制御結果とを対応づけて表示することを特徴とする請求項１から請求項６のいずれかに記載のテレコントロール装置。
【発明の詳細な説明】
【技術分野】
【０００１】
本発明は、照明機器、エアコンディショナー（以下、エアコンという）、電気錠等の電気機器を、宅外から電話回線を介して遠隔制御するテレコントロール装置に関する。
【背景技術】
【０００２】
電話回線を使用したテレコントロールによる照明機器やエアコン等の遠隔制御においては、被制御機器と制御機器（テレコントロール装置）との間をＪＥＭ−Ａインターフェース（ＨＡ端子とも言う）を介した有線にて接続し、被制御機器である照明機器やエアコン等から動作状態を示す信号をテレコントロール装置が受信して状態を確認し、反転制御の場合はその状態を反転するように制御信号を生成して照明機器やエアコン等に与えていた（例えば特許文献１参照）。
【０００３】
上記したように、テレコントロール装置は、電話回線からアクセスできるため不正なアクセスを排除する必要がある。これまでは、不正アクセスを排除する方式として暗証番号による認証が行われている。
【特許文献１】特開平１−４９８４２号公報
【発明の開示】
【発明が解決しようとする課題】
【０００４】
しかしながら、従来のテレコントロール装置では、所定回数連続して暗証番号を間違えたときにはアクセスを拒否できたが、アクセス回数を記録として残すことができなかったので不正アクセスの試みがあったのか否か知ることができなかった。
【０００５】
本発明は、以上のような実情に鑑みてなされたもので、外出から帰宅までの間にテレコントロールされた回数を記録して残すと共に知らせることができ、不正なアクセスがあったか否かを判断することのできるテレコントロール装置を提供することを目的とする。
【課題を解決するための手段】
【０００６】
本発明のテレコントロール装置は、電話回線からの着信に自動応答して被制御機器を制御した回数を記憶し、この記憶した回数を表示して、例えば外出から帰宅までの間にテレコントロールされた回数を記録して残すと共に知らせ、不正なアクセスがあったか否かを判断できるようにした。
【発明の効果】
【０００７】
本発明によれば、外出から帰宅までの間にテレコントロールされた回数を記録して残すと共に知らせることができ、不正なアクセスがあったか否かを判断することのできるテレコントロール装置を提供できる。
【発明を実施するための最良の形態】
【０００８】
本発明の第１の態様は、電話回線からの着信に自動応答して制御信号を受信し被制御機器を制御するテレコントロール装置であって、電話回線からの着信に自動応答して被制御機器を制御した回数を記憶する回数記憶手段と、前記回数記憶手段に記憶された回数を表示する回数表示手段とを具備したテレコントロール装置である。
【０００９】
以上のように構成されたテレコントロール装置によれば、電話回線からの着信に自動応答して被制御機器を制御した回数を記憶し、この記憶した回数を表示するので、例えば外出から帰宅までの間にテレコントロールされた回数を記録してユーザに知らせることができ、不正なアクセスがあったか否かを判断できる。
【００１０】
本発明の第２の態様は、第１の態様のテレコントロール装置において、テレコントロール用の暗証番号の受信回数を記憶するものとした。
【００１１】
これにより、テレコントロール用の暗証番号の受信回数をテレコントロールを要求された回数として記憶することができる。
【００１２】
本発明の第３の態様は、第２の態様のテレコントロール装置において、留守番電話機の暗証番号及びテレコントロール用の暗証番号以外の暗証番号によるアクセス回数をエラー回数として記憶することとした。
【００１３】
これにより、留守番電話機の暗証番号をテレコントロール用の暗証番号エラーとしてカウントする不具合を改善できる。
【００１４】
本発明の第４の態様は、第１から第３のいずれかの態様のテレコントロール装置において、電話回線からの着信に自動応答して制御信号を受信して被制御機器を制御する外出モードに設定する外出設定手段を備え、前記外出設定手段により外出モードに再びセットされることにより前記回数記憶手段の記憶内容をクリアすることとした。
【００１５】
これにより、外出時のアクセスだけをカウントすることができる。
【００１６】
本発明の第５の態様は、第１から第４のいずれかの態様のテレコントロール装置において、機器毎にテレコントロールされた回数を記憶する機器別記憶手段と、前記機器別記憶手段の記憶内容に基づいて機器毎のテレコントロール回数を表示する表示手段と、具備するものとした。
【００１７】
これにより、機器毎のテレコントロール回数を表示することができ使い勝手を改善することができる。
【００１８】
本発明の第６の態様は、第１から第５のいずれかの態様のテレコントロール装置において、前記表示手段に、ナンバーディスプレイサービスにより通知された発呼者の電話番号と被制御機器に対して行った制御内容とを対応づけて表示することとした。
【００１９】
これにより、発呼者の電話番号と被制御機器に対して行った制御内容とを対応づけて表示することができるので、より使い勝手を改善することができる。
【００２０】
本発明の第７の態様は、第１から第６のいずれかの態様のテレコントロール装置において、前記表示手段に、被制御機器に対して行った制御内容とその制御時刻とを対応づけて表示することとした。
【００２１】
これにより、被制御機器に対して行った制御内容とその制御時刻とを対応づけて表示することができるので、より使い勝手を改善することができる。
【００２２】
本発明の第８の態様は、第１から第６のいずれかの態様のテレコントロール装置において、前記表示手段に、被制御機器に対して行った制御内容とその制御結果とを対応づけて表示することとした。
【００２３】
これにより、被制御機器に対して行った制御内容とその制御結果とを対応づけて表示することができるので、より使い勝手を改善することができる。
【００２４】
以下、本発明に係るテレコントロールシステムの一実施の形態について図面を参照して具体的に説明する。
【００２５】
図１は、テレコントロールシステムのシステム概要を示す図である。宅内に照明機器１１、エアコン１２，電動シャッター１３，床暖房器具１４，電気錠１５等の電気機器が設置されている状態を示している。
【００２６】
テレコントロール装置１６は、親機１６−１と子機１６−２とから構成されている。親機と子機を区別しない場合は「テレコントロール装置１６」として説明する。親機１６−１は電話回線に接続されている。宅外から電話回線を介してテレコントロール装置１６に操作信号を送る。テレコントロール装置１６は、電話回線を介して送られてくる操作信号に基づいて、被制御機器の動作を制御する。また、テレコントロール装置１６が接続されている電話回線には留守番電話機２０も接続されている。
【００２７】
図２にテレコントロール装置１６の機能ブロック図を示す。テレコントロール装置１６は、後で説明する種々の制御を実行する制御装置２０１を備える。この制御装置２０１の周辺に各種構成要素が配置されている。各構成要素は次の通りである。
【００２８】
電話回線から到来する着信信号を検出する着信信号検出部２０２、ＰＢ（プッシュボタン）信号を検出するＰＢ信号検出部２０３、ナンバーディスプレイ信号を検出するナンバーディスプレイ信号検出部２０４を備える。また、着信信号に対して鳴動する応答制御を行う応答制御装置２０５を備える。これらの構成要素２０２から２０５により電話回線からの信号を検出すると共に適切な応答制御を行う。
【００２９】
また、テレコントロールを実現するために必要な各種データ並びに電話回線の自動応答機能を実現する上で必要な各種データを記憶部群に格納している。テレコントロールの実行回数を記憶するテレコン制御回数記憶部２０６、ＰＢ入力信号を記憶するＰＢ入力信号記憶部２０７、今回着信の暗証番号エラーカウント値を記憶する暗証番号エラー回数記憶部２０８を備える。暗証番号エラーのトータル値を記憶するトータル暗証番号エラー回数記憶部２０９、テレコントロールの暗証番号を記憶したテレコン暗証番号設定値記憶部２１０、着信信号の数を計数する着信信号カウンタ２１１を備える。留守番電話機２０の接続の有無を記憶した留守番電話機有／無記憶部２１２、留守番電話機の暗証番号を記憶した留守番電話機暗証番号記憶部２１３、着信信号に対する応答回数の規定値を記憶する着信信号応答回数規定値記憶部２１４、暗証番号エラー回数の規定値を記憶する暗証番号エラー回数規定値記憶部２１５を備える。ナンバーディスプレイ番号を記憶するナンバーディスプレイ番号記憶部２１６、テレコントロール時の時刻を記憶する時刻記憶部２１７、被制御機器のテレコントロール回数を記憶する機器別制御回数等記憶部２１８、外出設定状態を記憶する外出設定状態記憶部２１９を備える。
【００３０】
また、時刻を計時する時刻計時部２２０、テレコン制御回数だけ点滅するＬＥＤ２２１、ＬＥＤ２２１の点滅周期を計時する点滅周期計時部２２２、ＬＣＤ２２３、外出ボタン２２４を備える。
【００３１】
次に、以上のように構成されたテレコントロールシステムの動作について具体的に説明する。
【００３２】
図３、４は着信発生時のテレコントロール装置の動作を示すフロー図である。着信信号検出部２０２で電話回線からの着信信号を検出することで着信イベントが発生し、図３、４のフロー図に示す処理が実行される。制御装置２０１は、ナンバーディスプレイ信号検出部２０４がナンバーディスプレイサービスにより通知された発呼側の電話番号を、ナンバーディスプレイ番号記憶部２１６に格納する（Ｓ１０１）。
【００３３】
次に、制御装置２０１は、留守番電話機有／無記憶部２１２の記憶内容から留守番電話機の接続の有無を判断する（Ｓ１０２）。留守番電話機の接続が“無し”に設定されている場合（Ｓ１０２）、着信信号のカウントを行う（Ｓ１０３）。そして、着信信号応答回数規定値記憶部２１４に記憶した規定値を超えるまで応答（鳴動）回数をカウントする。応答回数が規定値を越えたら（Ｓ１０４）、外出設定状態記憶部２１９に記憶した設定内容からテレコン制御を実行するか否か判断する（Ｓ１０５）。外出ボタン２２４を押下することにより、外出設定状態記憶部２１９にテレコン制御を行う旨の設定を記憶する。
【００３４】
外出設定がされている場合（Ｓ１０５）、着信応答してテレコントロールの暗証番号の入力待ち状態に入る（Ｓ１０６）。一方、ステップＳ１０２で留守番電話機の接続が“有り”に設定されている場合、先に留守番電話機２０が着信応答するので、テレコントロール装置は、テレコントロールの暗証番号の入力待ち状態に入る。すなわち、今回着信の暗証番号エラー回数記憶部２０８及びＰＢ入力信号記憶部２０７の記憶内容をクリアし（Ｓ１０７）、ＰＢ信号検出部２０３が検出するＰＢ信号を監視する（Ｓ１０８）。発呼側の電話機（プッシュボタン方式）から暗証番号を電話回線で送信してくるので、ＰＢ信号の入力をチェックし（Ｓ１０９）、ＰＢ入力待ちのタイムアウト発生を監視する（Ｓ１１０）。ＰＢ入力信号により送られてきた数値（テレコントロールの暗証番号）の桁数が規定値に達したら（Ｓ１１２）、テレコン暗証番号設定値記憶部２１０より暗証番号を読み出してＰＢ入力信号により送られてきた数値と照合する（Ｓ１１３）。
【００３５】
暗証番号が一致した場合（Ｓ１１３）、テレコントロールを実行することとなるので、テレコン制御回数記憶部２０６の記憶内容（前回までのテレコン制御回数）を１インクリメントして更新する（Ｓ１１４）。テレコントロール実行時間としての時刻を、時刻記憶部２１７に記憶する（Ｓ１１５）。
【００３６】
一方、ステップＳ１１３でテレコントロールの暗証番号不一致と判断した場合、ＰＢ入力信号はテレコントロールの暗証番号ではなく留守番電話の暗証番号であるかもしれない。そのために、留守番電話機有／無記憶部２１２の記憶内容から留守番電話機の接続の有無を判断する（Ｓ１１６）。留守番電話機が“有り”に設定されている場合（Ｓ１１６）、留守番電話機暗証番号記憶部２１３から留守番電話機用暗証番号を読み出して、受信した暗証番号と一致したか否か判断する（Ｓ１１７）。留守番電話機用暗証番号が一致した場合（Ｓ１１７）、留守番電話機２０が動作するのでテレコントロールとしては次着信待ちになる（Ｓ１３０）。
【００３７】
ステップＳ１１６で留守番電話機が“無し”に設定されている場合並びにステップＳ１１７で留守番電話機用暗証番号が一致しなかった場合は、トータル暗証番号エラー回数記憶部２０９のトータル暗証番号エラー回数をインクリメントする（Ｓ１１８）。すなわち、テレコントロール用暗証番号でもなく、留守番電話機用暗証番号でもない場合は、不正アクセスの可能性が高いので暗証番号エラーとしてカウントする。
【００３８】
このように、ステップＳ１１７で留守番電話機用暗証番号が一致したときはステップＳ１３０へ移行して次着信待ちになるようにし、ステップＳ１１３でテレコントロール用暗証番号が不一致であっても留守番電話機用暗証番号であった場合にはトータル暗証番号エラー回数をインクリメントしないので、誤ってエラー回数をカウントする不具合を防止できる。
【００３９】
また、ステップＳ１１８でトータル暗証番号エラー回数をインクリメントした場合は、その時の時刻を時刻計時部２２０から取得して時刻記憶部２１７に格納する（Ｓ１１９）。
【００４０】
次に、暗証番号エラー回数記憶部２０８に記憶している今回着信の暗証番号エラー回数をインクリメントし（Ｓ１２０）、今回着信の暗証番号エラー回数が規定値を超えたか否か判断する（Ｓ１２１）。暗証番号エラー回数が規定値を超えていなければ（Ｓ１２１）、ステップＳ１０８へ戻って新しく暗証番号が入力し直して来るのを待つ。そして、今回着信の暗証番号エラー回数が規定値を超えるとステップＳ１１１へ移行して電話回線を切断する。すなわち、今回着信でテレコントロール用暗証番号を規定値以上間違っていれば不正なアクセスであるとして電話回線を切断する。これにより、暗証番号を一定回数以上間違ったらアクセスできなくする。
【００４１】
次に、テレコントロール用暗証号番号が一致した場合は（Ｓ１１３）、ステップＳ１４０においてテレコントロール中の処理を実行する。
【００４２】
図５はステップＳ１４０の処理の詳細を示すフロー図である。テレコン終了イベントが発生していないことを確認したら（Ｓ１５０）、ある被制御機器である機器１が制御されたか否か判断する（Ｓ１５１）。図５には被制御機器が２台の例を示している。機器１がテレコン制御された場合（Ｓ１５１）、機器別制御回数等記憶部２１８の書き換えを行う（Ｓ１５２）。機器別制御回数等記憶部２１８は、機器別に、制御回数と制御内容及び制御結果（ＯＫ回数、ＮＧ回数）を記憶している。ここでは、機器１の制御回数をインクリメントし、且つテレコン制御の制御内容を記憶する。そして、テレコン制御の制御結果がＯＫだった場合（Ｓ１５３）、機器別制御回数等記憶部２１８における機器１のＯＫ回数をインクリメントする（Ｓ１５４）。また、テレコン制御の制御結果がＮＧだった場合（Ｓ１５３）、機器別制御回数等記憶部２１８における機器１のＮＧ回数をインクリメントする（Ｓ１５５）。
【００４３】
また、ステップＳ１５６で機器２がテレコン制御されたと判断した場合は、機器別制御回数等記憶部２１８における機器２の制御回数をインクリメントし、且つテレコン制御の制御内容を記憶する（Ｓ１５７）。そして、テレコン制御の制御結果がＯＫだった場合（Ｓ１５８）、機器別制御回数等記憶部２１８における機器２のＯＫ回数をインクリメントする（Ｓ１５９）。また、テレコン制御の制御結果がＮＧだった場合（Ｓ１５８）、機器別制御回数等記憶部２１８における機器２のＮＧ回数をインクリメントする（Ｓ１６０）。
【００４４】
以上のようにしてテレコン制御が行われた機器１又は機器２に関する制御回数、制御内容及び制御結果（ＯＫ回数、ＮＧ回数）が機器別制御回数等記憶部２１８に格納されたことになる。図４に示すように、テレコントロールが終了したら処理を終了する（Ｓ１４１）。
【００４５】
以上の処理により、テレコン制御回数記憶部２０６にはテレコン制御回数が記憶され、トータル暗証番号エラー回数記憶部２０９には暗証番号のテレコントロール用暗証番号のエラー回数が記憶される。ナンバーディスプレイ番号記憶部２１６には着信のあった相手の電話番号が記憶され、時刻記憶部２１７には着信時刻及びテレコン制御実行時刻が記憶される。さらに、機器別制御回数等記憶部２１８には機器別の制御回数が制御結果と共に記憶される。以下の処理ではこれらの記憶内容に基づいてＬＥＤ制御及びＬＣＤ表示を行うものとなる。
【００４６】
次に、図６にＬＥＤ制御処理のフロー図を示す。例えば、１０秒間に１回この処理を実行する。点滅周期計時部２２２が１０秒の時間間隔を計時する。
【００４７】
ユーザは外出時に外出ボタン２２４を押下して、図３，４に示すフローが実行されるように外出設定する。この外出設定は外出設定状態記憶部２１９に記憶される。制御装置２０１は、外出設定状態記憶部２１９の記憶内容から外出設定になっているか否か判断し（Ｓ１７０）、外出設定が解除されていればＬＥＤ２２１は消灯する（Ｓ１７１）。
【００４８】
一方、外出設定がされている場合（Ｓ１７０）、テレコン制御回数記憶部２０６から外出設定してから現在までのテレコン制御回数を読み出し、テレコン制御回数が０回ならば（Ｓ１７２）、ＬＥＤ２２１を点灯させる（Ｓ１７３）。テレコン制御回数が１回ならば（Ｓ１７４）、ＬＥＤ２２１を１回だけ点灯させる（Ｓ１７５）。テレコン制御回数が２回ならば（Ｓ１７６）、ＬＥＤ２２１を２回だけ点灯させ（Ｓ１７７）、テレコン制御回数が３回以上ならば（Ｓ１７６）、ＬＥＤ２２１を３回点灯させる（Ｓ１７８）。
【００４９】
この結果、ＬＥＤ２２１はテレコン制御回数だけ１０秒に１回に点滅することになる。したがって、帰宅したユーザはＬＥＤ２２１の点滅状態を確認することにより、テレコン制御のあった回数を直感的に確認できる。本実施例は、３回以上は全て３回の点滅としているが、４回以上の場合に回数分だけ点滅するようにしても良い。
【００５０】
図７（ａ）から（ｄ）はＬＣＤ２２３の表示例を示している。図７（ａ）はテレコン制御回数とテレコントロール用暗証番号のエラー回数とを表示している。テレコン制御回数記憶部２０６に記憶したテレコン制御回数（ＯＫ回数）を表示し、さらにトータル暗証番号エラー回数記憶部２０９に記憶した暗証番号エラー回数を表示する。これにより、ＬＣＤ２２３の表示内容を見ることにより、暗証番号エラー回数から不正アクセスを発見することができる。
【００５１】
図７（ｂ）は機器別制御回数を示している。機器別制御回数等記憶部２１８に記憶されている機器別の制御回数を読み出して表示する。
【００５２】
図７（ｃ）は機器別制御内容を示している。機器別制御回数等記憶部２１８に記憶されている機器別の制御内容を読み出して表示する。併せて時刻記憶部２１７から制御時の時刻を読み出して表示している。
【００５３】
図７（ｄ）は着信履歴を示している。着信履歴はナンバーディスプレイ番号記憶部２１６に記憶している。ここから、着信のあった電話番号を読み出して表示する。なお、着信時刻と暗証番号の確認結果も併せて表示する。
【００５４】
図７（ａ）から（ｄ）の表示内容を１画面に表示させるようにしても良いし、任意の表示内容を組み合わせて表示させるようにしても良い。
【００５５】
次に、着信時にテレコン制御に関する情報を格納した各記憶部の記憶内容をクリアする処理について、図８を参照して説明する。
【００５６】
ユーザは外出時に外出ボタン２２４を押下して外出設定し、帰宅時に再び外出ボタン２２４を押下する。反転制御により帰宅時の外出ボタン２２４の押下で外出設定が解除されることになる。
【００５７】
図８に示すように、外出ボタン２２４を押下したときに既に外出設定がある（Ｓ１８０）ということは帰宅時であると判断できるので、ステップＳ１８１へ移行して外出設定を解除する処理を実行する。
【００５８】
一方、外出ボタン２２４を押下したときに外出設定がされていなければ（Ｓ１８０）、これから外出すると判断できるので、留守中のデータを記憶するために、関連する各記憶部に既に書き込まれている過去のデータをクリアする。すなわち、テレコン制御回数記憶部２０６の記憶内容をクリアし（Ｓ１８２）、トータル暗証番号エラー回数記憶部２０９の記憶内容をクリアし（Ｓ１８３）、ナンバーディスプレイ番号記憶部２１６の記憶内容をクリアする（Ｓ１８４）。さらに、テレコン制御時刻の時刻記憶部２１７の記憶内容をクリアし（Ｓ１８５）、機器別制御回数等記憶部２１８の記憶内容をクリアする（Ｓ１８６）。その後、外出設定状態記憶部２１９に対して外出設定を書き込む（Ｓ１８７）。
【００５９】
以上の処理により、外出時に着信が発生すると、各種データを収集して初期状態の各記憶部に格納される。
【産業上の利用可能性】
【００６０】
本発明は、外出から帰宅までの間にテレコントロールされた回数を記録して残すと共に知らせることができ、不正なアクセスがあったか否かを判断することができ、テレコントロール装置に適用可能である。
【図面の簡単な説明】
【００６１】
【図１】一実施の形態に係るテレコントロールシステムの概念図
【図２】上記実施の形態におけるテレコントロール装置の機能ブロック図
【図３】着信発生時の前半部の動作内容を示すフロー図
【図４】着信発生時の後半部の動作内容を示すフロー図
【図５】テレコントロール中の処理内容を示すフロー図
【図６】ＬＥＤ制御処理のフロー図
【図７】ＬＣＤ表示例を示す図
【図８】外出ボタン押下処理のフロー図
【符号の説明】
【００６２】
１１  照明機器
１２  エアコンディショナー
１３  電動シャッター
１４  床暖房器具
１５  電気錠
１６  テレコントロール装置
１６−１  親機
１６−２  子機
２０  留守番電話機
２０１  制御装置
２０２  着信信号検出部
２０３  ＰＢ信号検出部
２０４  ナンバーディスプレイ信号検出部
２０５  応答制御装置
２０６  テレコン制御回数記憶部
２０７  ＰＢ入力信号記憶部
２０８  暗証番号エラー回数記憶部
２０９  トータル暗証番号エラー回数記憶部
２１０  テレコン暗証番号設定値記憶部
２１１  着信信号カウンタ
２１２  留守番電話機有／無記憶部
２１３  留守番電話機暗証番号記憶部
２１４  着信信号応答回数規定値記憶部
２１５  暗証番号エラー回数規定値記憶部
２１６  ナンバーディスプレイ番号記憶部
２１７  時刻記憶部
２１８  機器別制御回数等記憶部
２１９  外出設定状態記憶部
２２０  時刻計時部
２２１  ＬＥＤ
２２２  点滅周期計時部
２２３  ＬＣＤ
【図１】
2005175818.tif 000003
【図２】
2005175818.tif 000004
【図３】
2005175818.tif 000005
【図４】
2005175818.tif 000006
【図５】
2005175818.tif 000007
【図６】
2005175818.tif 000008
【図７】
2005175818.tif 000009
【図８】
2005175818.tif 000010